(57)【要約】      （修正有）【課題】ただ一つの血酸素飽和度分析器及び一つの呼吸制御器によって人の血液循環流速を検出。【解決手段】人に血酸素飽和度分析器及び呼吸制御器を接続するステップと；開始時間点で、呼吸制御器は人に第一気体を提供し、且つ、血酸素飽和度分析器によって、一単位時間間隔ごとに前記人の血酸素飽和度値を記録し始めるステップと；第一時間点で、呼吸制御器は人に第二気体を提供するステップと；第二時間点で、呼吸制御器は人に第三気体を提供するステップと；終止時間点で、血酸素飽和度分析器は、人の血酸素飽和度値を記録する動作を止めるステップと；前記血酸素飽和度分析器によって記録した複数の異なる時間点に対応する血酸素飽和度値によって、変異を持つ血酸素飽和度値に対応する時間点を信号参考時間と設定するステップと；信号参考時間から第一時間点をマイナスして獲得した値の逆数と正比例する人の血液循環流速を獲得するステップとを備える。【選択図】図１
2007144186.tif 000002
【特許請求の範囲】
【請求項１】
血液循環流速検出システムの作動方法であって、
検出しようとする人に接続されている血酸素飽和度分析器及び呼吸制御器は、開始時間点で、呼吸制御器により検出しようとする人に第一気体が提供され、且つ、血酸素飽和度分析器によって、一単位時間間隔ごとに前記検出しようとする人の血酸素飽和度値が記録されるステップと、
第一時間点で、呼吸制御器により検出しようとする人に第二気体が提供されるステップと、
第二時間点で、呼吸制御器により検出しようとする人に第三気体が提供されるステップと、
終止時間点で、血酸素飽和度分析器は、検出しようとする人の血酸素飽和度値を記録する動作を止めるステップと、
前記血酸素飽和度分析器によって記録した複数の異なる時間点に対応する血酸素飽和度値によって、変異を持つ血酸素飽和度値に対応する時間点を信号参考時間と設定するステップと、
信号参考時間から第一時間点をマイナスして獲得した値の逆数と正比例する検出しようとする人の血液循環流速を獲得するステップとを備えることを特徴とする血液循環流速を検出するシステムの作動方法。
【請求項２】
前記第一気体と第二気体は異なることを特徴とする請求項１に記載の血液循環流速検出システムの作動方法。
【請求項３】
前記第一気体は、酸素、空気及び上述の組合せなどの群グループから選ぶことを特徴とする請求項２に記載の血液循環流速検出システムの作動方法。
【請求項４】
前記第二気体は、一酸化炭素、窒素、二酸化炭素、酸素を含まない気体及び上述の組合せなどの群グループから選ぶことを特徴とする請求項２に記載の血液循環流速検出システムの作動方法。
【請求項５】
前記第三気体と第一気体は同じであることを特徴とする請求項１に記載の血液循環流速検出システムの作動方法。
【請求項６】
前記検出しようとする人の血液循環流速は、参考距離で信号参考時間と第一時間点の差値を割ることにより獲得した値であることを特徴とする請求項１に記載の血液循環流速検出システムの作動方法。
【請求項７】
前記参考距離は、前記検出しようとする人の身長と正比例になっていることを特徴とする請求項６に記載の血液循環流速検出システムの作動方法。
【請求項８】
前記獲得した血液循環流速参考値は、前記信号参考時間から第一時間点をマイナスして獲得した値の逆数であって、且つ血液流速に関する変更項目の回帰曲線図と比較してから、前記検出しようとする人の血液循環流速を獲得することができることを特徴とする請求項１に記載の血液循環流速検出システムの作動方法。
【請求項９】
前記第一時間点はおよそ２０秒に等しく、前記第二時間点はおよそ４０秒に等しく、前記終止時間点はおよそ９０秒に等しいことを特徴とする請求項１に記載の血液循環流速検出システムの作動方法。
【請求項１０】
前記第二気体が一酸化炭素である時、前記第二時間点は、およそ２５秒に等しいことを特徴とする請求項４に記載の血液循環流速検出システムの作動方法。
【請求項１１】
前記血酸素飽度分析器は、非侵入性の血酸素飽度分析器或いは侵入性の血酸素飽度分析器であることを特徴とする請求項１に記載の血液循環流速検出システムの作動方法。
【請求項１２】
記録された複数の異なる時間点に対応する血酸素飽和度値によって、もし開始時間点と第一時間点との間の血酸素飽度値が変異を持つと発見したら、獲得した該検出しようとする人の血液循環流速は無効であることを特徴とする請求項１に記載の血液循環流速検出システムの作動方法。
【請求項１３】
血液循環流速検出システムであって、
主制御器と、
前記主制御器に電気接続し、一単位時間間隔ごとに前記検出しようとする人の血酸素飽和度値を記録することに用いられ、且つ血酸素飽和度値を主制御器にに提供する血酸素飽和度分析器と、
前記主制御器に電気接続し、一単位時間間隔ごとに前記検出しようとする人に予定気体を供給することに用いられる呼吸制御器と、
前記主制御器に電気接続し、主制御器からの資料を接収し、且つ出力することに用いられる資料出力装置とを備えることを特徴とする血液循環流速検出システム。
【請求項１４】
前記呼吸制御器が指令を受け取ることによって、一単位時間間隔ごとに前記検出しようとする人に予定気体を供給することを特徴とする請求項１３に記載の血液循環流速検出システム。
【請求項１５】
前記呼吸制御器は、主制御器に電気接続されており、前記指令は、主制御器から来ることを特徴とする請求項１４に記載の血液循環流速検出システム。
【請求項１６】
前記指令は、人為方式によって呼吸制御器に入力することを特徴とする請求項１３に記載の血液循環流速検出システム。
【請求項１７】
前記資料出力装置は、一単位時間間隔ごとの血酸素飽和度値の曲線を出力することを特徴とする請求項１３に記載の血液循環流速検出システム。
【請求項１８】
前記血酸素飽度分析器は、非侵入性の血酸素飽度分析器或いは侵入性の血酸素飽度分析器であることを特徴とする請求項１３に記載の血液循環流速検出システム。
【発明の詳細な説明】
【技術分野】
【０００１】
本発明は血液循環流速検出システムの作動方法に係り、検出しようとする人の血液循環流速を獲得することに用いられ、特に検出しようとする人の呼吸状態を制御することによって、検出しようとする人の血液循環流速を検出することができる血液循環流速検出システムの作動方法に関する。
【背景技術】
【０００２】
ここ数年来、人々の健康状況がますます悪くなり、だんだん養生に関する議題を重視し始め、そのため、人々は皆飲食療養とか、物理治療とか、薬物治療などの方式によって、健康状況を改善することができる方法を探している。しかし、「健康」というものは、絶対的に量化した指標がないため、坊間では、人々の血液循環状況の善し悪しを参考指標としている。つまり、血液循環状況が悪ければその「健康」状況も悪く、血液循環状況が良ければその「健康」状況も良い。
【０００３】
しかし、人々が関心を寄せる血液循環状況をどのように判断するか？従来の技術において、検出しようとする人の血液の中に感光物質を注射し、さらに感光撮影或いは写真を撮る方式を利用して、検出しようとする人の血液循環状況を観察することができるが、該方法は、ただ検出しようとする人の血液循環状況と一次血流速だけ獲得することができ、検出しようとする人の血液循環中の血液流速量の値を重複して知ることができない。
【０００４】
又、他の従来の技術は、ドップラー（Ｄｏｐｐｌｏｒ）効果の原理によって製作された血液流速測量計であって、その原理は、光学ドップラー・トモグラフィ（Ｏｐｔｉｃａｌ  Ｄｏｐｐｌｅｒ  Ｔｏｍｏｇｒａｐｈｙ，ＯＤＴ）を利用して、映像をスキャンする。検出しようとする人の血管中の血液の流動は、逆方向散乱光子にドップラー・シフトを生ませることができ、且つシフト量と流速は正比例になっているから、従って、検出しようとする人の血液流速を獲得することができる。しかし、前記技術は、実務で実施し難く、その原因は、ドップラー・シフトは、特定物体の移動に対して正確性を持っているが、血液の流動は連続だから、測量値は極めて正確でなく、再現性が低く、その他、器具は非常に高価だから、前記従来の技術は普遍でない。
【発明の開示】
【発明が解決しようとする課題】
【０００５】
本発明の目的は、前記課題を解決し、検出しようとする人の呼吸を制御しながら血酸素飽和度分析器と配合することにより、その血酸素飽和度値を記録し、即ち、検出しようとする人の血液循環流速を速く獲得することができる血液循環流速検出システム及びその作動方法を提供することである。
【課題を解決するための手段】
【０００６】
前記目的を達成するため、本発明に係る血液循環流速検出システムの作動方法は、検出しようとする人に接続されている血酸素飽和度分析器（Ｏｘｙ−Ｍｅｔｅｒ）及び呼吸制御器（Ｍｅｃｈａｎｉｃａｌ  Ｖｅｎｔｉｌａｔｏｒｓ  ｏｒ  Ｖｅｎｔｉｌａｔｏｒｓ）により開始時間点で、呼吸制御器は検出しようとする人に第一気体が提供され、血酸素飽和度分析器によって、一単位時間間隔ごとに前記検出しようとする人の血酸素飽和度値が記録されるステップと；第一時間点で、呼吸制御器により検出しようとする人に第二気体が提供されるステップと；第二時間点で、呼吸制御器により検出しようとする人に第三気体が提供されるステップと；終止時間点で、血酸素飽和度分析器は、検出しようとする人の血酸素飽和度値を記録する動作を止めるステップと；前記血酸素飽和度分析器によって記録した複数の異なる時間点に対応する血酸素飽和度値によって、変異を持つ血酸素飽和度値に対応する時間点を信号参考時間と設定するステップと；信号参考時間から第一時間点をマイナスして獲得した値の逆数と正比例する検出しようとする人の血液循環流速を獲得するステップとを備える。
【０００７】
上述の構想によって、前記第一気体と第二気体は異なって、その中、第一気体は、下記の群グループから選び、例えば、酸素、空気及び上述の組合せであって；第二気体は、下記の群グループから選び、例えば、一酸化炭素（ＣＯ）、窒素（Ｎ２）、二酸化炭素（ＣＯ２）、酸素を含まない気体及び上述の組合せである。
【０００８】
上述の構想によって、前記第三気体と第二気体は異なるが、第三気体と第一気体は、同じでも或いは異なっても、皆実施することができる。
【０００９】
上述の構想によって、検出しようとする人の血液循環流速は、一参考距離で信号参考時間と第一時間点の差値を割ることにより獲得した値であって、その中、前記参考距離は、検出しようとする人の身長と正比例になっているから、前記参考距離は、検出しようとする人の身長を校正することにより獲得することができる。
【００１０】
上述の構想によって、記録された複数の異なる時間点に対応する血酸素飽和度値によって、もし開始時間点と第一時間点との間の血酸素飽度値が変異を持つと発見したら、獲得した該検出しようとする人の血液循環流速は無効である。
【００１１】
上述の構想によって、本発明は、さらに血液循環流速検出システムを提供し、検出しようとする人の血液循環流速を検出することに用いられ、それは、主制御器と、前記主制御器に電気接続し、一単位時間間隔ごとに前記検出しようとする人の血酸素飽和度値を記録することに用いられ、且つ血酸素飽和度値を主制御器にに提供する血酸素飽和度分析器と、前記主制御器に電気接続し、一単位時間間隔ごとに前記検出しようとする人に予定気体を供給することに用いられる呼吸制御器と、前記主制御器に電気接続し、主制御器からの資料を接収し、且つ出力することに用いられる資料出力装置とを備える。
【００１２】
上述の構想によって、前記呼吸制御器は、指令を受け取ることによって、一単位時間間隔ごとに前記検出しようとする人に予定気体を供給し、その中、前記指令は、主制御器から来るとか、或いは人為方式によって呼吸制御器に入力する。
【００１３】
上述の構想によって、資料出力装置は、一単位時間間隔ごとの血酸素飽和度値の曲線或いは検出しようとする人の血液循環流速を出力する。
【発明の効果】
【００１４】
本発明の血液循環流速検出システムの作動方法は、ただ一つの血酸素飽和度分析器及び一つの呼吸制御器によって、検出しようとする人の血液循環流速を検出することができ、且つ検出しようとする人は、いかなる動作を配合する必要がなく、実用性を持つばかりでなく、且つコストも低い。
【発明を実施するための最良の形態】
【００１５】
以下、図１、図２Ａ、図２Ｂ、図３を参照して下さい。図１は、本発明の血液循環流速検出システムの作動方法を示すフロー・チャートであって、図２Ａと図２Ｂは、本発明の方法において、二種の呼吸制御器が時間に従って、検出しようとする人に気体を提供する曲線図であって、図３は、本発明の方法を応用する状態で、四組の別々に記録された複数の異なる時間点に対応する血酸素飽和度値のサンプル曲線図である。
【００１６】
先ず、図１のステップ１０に示すように、検出しようとする人に血酸素飽和度分析器（Ｏｘｙ−Ｍｅｔｅｒ）及び呼吸制御器（Ｍｅｃｈａｎｉｃａｌ  Ｖｅｎｔｉｌａｔｏｒｓ  ｏｒ  Ｖｅｎｔｉｌａｔｏｒｓ）を着けさせて、その中、前記血酸素飽和度分析器は、主に検出しようとする人の血酸素飽和度値を検出することに用いられ、例えば、番号がＯＸＹ１００Ｃ（Ｂｉｏｐａｃ  ｓｙｓｔｅｍｓ，Ｉｎｃ．，ＵＳＡ製造）だったのは、坊間の非侵入性の血酸素飽和度分析器であって、該分析器は、検出しようとする人に破壊性傷害をもたらしなく、ただ検出しようとする人の指先を挟めば、その血酸素飽和度値を検出することができるが、本発明はそれに限られなく、侵入性の血酸素飽和度分析器でもよく、呼吸制御器は、検出しようとする人に指定気体を提供することに用いられる。
【００１７】
続いて、図１のステップ１１に示すように、開始時間点２０を設定し、呼吸制御器は、検出しようとする人に第一気体を提供し、且つ血酸素飽度和分析器によって、一単位時間間隔ごとに前記検出しようとする人の血酸素飽和度値を記録し始め、その中、前記第一気体は、酸素、空気或いは上述の組合せであることができ、そうすれば、図３の曲線Ａ、Ｂに示すように、その血酸素飽和度値が時間横軸の曲線に沿って水平直線に接近することにする。
【００１８】
続いて、図１のステップ１２に示すように、第一時間点２１で、例えば、２０秒である時、呼吸制御器は、検出しようとする人に第二気体を提供し、その中、前記第二気体は、第一気体と異なって、一酸化炭素（ＣＯ）、窒素（Ｎ２）、二酸化炭素（ＣＯ２）、酸素を含まない気体或いは上述の組合せであることができ；続いて、第二時間点２２で、例えば、４０秒である時、呼吸制御器は、検出しようとする人に第三気体を提供し、その中、前記第三気体は、第二気体と異なって、そうすれば、呼吸制御器が時間に従って提供する気体の曲線は、図２Ａに示すようで、好ましくは、前記第三気体と第一気体は同じであって、即ち、検出しようとする人に第一気体を呼吸する状態に回復させて、その時、呼吸制御器が時間に従って提供する気体の曲線は、図２Ｂに示すようで；続いて、図１のステップ１４に示すように、終止時間点２３で、例えば、９０秒である時、検出しようとする人の血酸素飽和度を記録する動作を止めて、前記終止時間点２３の位置は、検出しようとする人ごとの血酸素飽和度の測量点（例えば、手指先、足指先或いは他の測量することができる位置）によって違うから、測量距離点に基づいて、適当に調整することができ、このように複数の異なる時間に対応する血酸素飽和度値のサンプルを獲得することができ、図３の曲線Ａ或いはＢに示すように、それを曲線に制作し；前記第一時間点２１は、およそ２０秒に等しければよく、しかしそれに限られなく、同じ道理で、第二時間点２２も４０秒に限られなく、終止時間点２３も９０秒に限られなく；しかし、もし第一時間点２１で一酸化炭素を使えば、検出しようとする人が中毒することを免れるに基づいて、前記第二時間点は、およそ２５秒から３０秒に等しければ、すぐ実施することができる。
【００１９】
続いて、図１のステップ１５に示すように、前記記録された複数の異なる時間点に対応する血酸素飽和度値によって、変異を持つ血酸素飽和度値に対応する時間を信号参考時間と設定し；例えば、図３において、ＰＡ点は、この時の検出しようとする人の血酸素飽和度値が瞬間に下がるのを示すため、ＰＡ点に対応する時間は信号参考時間であって、同じ道理で、ＰＢ点も、この時の検出しようとする人の血酸素飽和度値が瞬間に下がるのを示すため、ＰＢ点に対応する時間も信号参考時間であって；最後に、図１のステップ１６に示すように、信号参考時間から第一時間点をマイナスして獲得した値の逆数と正比例する検出しようとする人の血液循環流速を獲得することができる。
【００２０】
上述の説明のように、本発明の技術原理は、呼吸制御器から検出しようとする人に提供する呼吸に用いられる気体を利用して、且つ特定時間点で異なる気体を提供して、検出しようとする人に呼吸させる方式によって、検出しようとする人の肺器官の中の肺胞の血酸素交換量を改変し、前記第二気体は、酸素を含まない気体であることができるから、第一時間点で、検出しようとする人の肺器官の中の肺胞と肺胞毛細血管との間の血酸素交換量が直ちに下がる現象が発生する。しかし、人体の血液は一定の流速を持ち、且つ検出しようとする人によって異なって、肺胞の血酸素交換量が下がることにより血酸素飽和度値が下がる現象は、一定の時間を経てから、やっと検出しようとする人の指先或いは他の測量することができる位置に反応されており、さらに、血酸素飽和度分析器によって測定することができるから、信号参考時間から第一時間点をマイナスするのは、前記経過した時間を代表されており、該時間の逆数は自然的に検出しようとする人の血液循環流速と正比例になっている。検出しようとする人ごとの肺胞毛細血管から指先末梢毛細血管までの血液流動距離を正確に獲得することができないが、同一な検出しようとする人の血液流動距離は同じだから、本発明によって測定された検出しようとする人の血液循環流速参考値の再現性は極めて高く、即ち血液循環流速を検出する応用性を持つ。
【００２１】
又、検出しようとする人ごとの肺胞毛細血管から指先末梢毛細血管までの血液流動距離を正確に獲得することができないが、その血液流動距離は、ほとんど検出しようとする人の身長と正比例になっているから、参考距離表を建てることができ、その参考距離は、検出しようとする人の身長と正比例になっているから、検出しようとする人の血液循環流速は、前記参考距離で信号参考時間と第一時間点の差値を割ることにより獲得した値であって、このように、本発明が提供する方法によって検出された血液循環流速値は、同様に普通の検査の有効参考値になることができ；或いは、直接に血液流速に関する変更項目の回帰曲線図を制作することができ、前記検出しようとする人の血液循環流速参考値を該回帰曲線図と比較することにより、検出しようとする人の血液循環流速値を獲得することができ、その中、血液流速に関する変更項目は、性別、年齢、身長、体温、血圧、赤血球数、赤血球分布幅（ＲＢＣ  Ｄｉｓｔｒｉｂｕｔｉｏｎ  Ｗｉｄｔｈ）、赤血球の変形性（Ｄｅｆｏｒｍａｂｉｌｉｔｙ  ｏｆ  Ｅｒｙｔｈｒｏｃｙｔｅｓ）、ヘマトクリット（Ｈｅｍａｔｏｃｒｉｔ）、血液の粘着性（Ｂｌｏｏｄ  Ｖｉｓｃｏｓｉｔｙ）、基礎代謝率（Ｂａｓａｌ  Ｍｅｔａｂｏｌｉｓｍ）、血管直径などのパラメーターに関することができ；或いは、直接に健康人血流速常態分布表を制作することができ、検出を受ける人にそれが母族群の内の血液循環健康指数を知らせる。
【００２２】
本発明の血液循環流速検出システムの作動方法の精確性を高めるために、好ましくは、開始時間点２０と第一時間点２１との間で、検出しようとする人の血酸素飽和度値が変異を持つ時、例えば、図２に示すように、変異点３０或いは変異点３１は、該検出しようとする人の呼吸状態が順調でないと代表されており、このように測定された検出しようとする人の血液循環流速は正確じゃないから、続いてＰＣ点とＰＤ点を獲得しても、獲得した検出しようとする人の血液循環流速は無効だと判断し、この方式は、本方法の再現性を高めることができる。
【００２３】
上述の実施形態によって、本発明は、血液循環流速検出システム４を提供されており、検出しようとする人５の血液循環流速を検出することに用いられ、その役割ブロック図は、図４Ａを参考してください。前記血液循環流速検出システム４は、主制御器４１と、前記主制御器４１に電気接続し、一単位時間間隔ごとに前記検出しようとする人５の血酸素飽和度値を記録することに用いられ、且つ血酸素飽和度値を主制御器４１に提供する血酸素飽和度分析器４２と、同様に前記主制御器４１に電気接続し、一単位時間間隔ごとに前記検出しようとする人５に予定気体を供給することに用いられる呼吸制御器４３と、その中、検出しようとする人５に供給する時間と気体の曲線図は、図２Ａ或いは図２Ｂを参考してください、前記主制御器４１に電気接続し、主制御器４１からの資料を接収し、且つ出力することに用いられる資料出力装置４４とを備え、優れたのは、検出しようとする人５の複数の異なる時間に対応する血酸素飽和度値の曲線図を直接に出力することができるばかりでなく、さらに、検出しようとする人５の血液循環流速の量値を表示することができ、検出しようとする人５に速く提供して参考することにする。
【００２４】
又、図４Ｂを参考して下さい。本発明の他の血液循環流速検出システム４を提供されており、その中の素子と接続方式は上述とほとんど同じであって、異なったのは、呼吸制御器４３は、人為或いは主制御器４１と異なる制御器から操作する方式によって設定し、呼吸制御器４３が一単位時間間隔ごとに前記検出しようとする人５に気体を供給することにして、且つその第一時間点、第二時間点などを設定する機能はすぐ実施することができる。
【００２５】
さらに、主制御器４１は、資料を自動的に記録する機能を持ち、ハードウエア、靭体或いはソフトウェアの方式で実行することができ、血酸素飽和度分析器に介して、時間に従って検出しようとする人の血酸素飽和度値を記録し、図３に示す曲線図を形成し；同時に、主制御器４１は、計算機能も持ち、需要に基づいて、検出しようとする人の血液循環流速或いは血液循環流速参考値などを計算し、資料出力装置によって出力する。
【００２６】
又、呼吸制御器４３は指令を受け取って、一単位時間間隔ごとに前記検出しようとする人５に気体を供給することにして、前記指令は、主制御器４１から来てもよく、直接に人為方式によって呼吸制御器４３に入力してもよい。
【００２７】
さらに、前記主制御器４１は、記憶体（図に示していない）を持つことができ、検出しようとする人の参考距離、血液循環に関する変更項目の回帰曲線或いは常態分布表を貯蓄することに用いられ、比較することに用いられる情報の出所として、その応用方式は、もう上述で説明したので、贅言をしない。
【００２８】
上述したように、本発明の血液循環流速検出システム及びその作動方法は、ただ一つの血酸素飽和度分析器及び一つの呼吸制御器によって、検出しようとする人の血液循環流速を検出することができ、且つ検出しようとする人は、いかなる動作を配合する必要がなく、すぐその血液循環流速を獲得することができ、実用性を持つばかりでなく、且つコストも低い。以上は、ただ本発明の割合に良い実施形態であって、上述の実施形態は、本発明の特許請求の範囲を限ることに用いられなく、本発明の特許請求の範囲を説明することに用いられ、本発明の範囲は、以下の特許請求の範囲から決まる。即ち、本発明の特許請求の範囲に基づいて、本発明を変化するとか、本発明を飾るのは、皆本発明の保護範囲に属する。
【図面の簡単な説明】
【００２９】
【図１】本発明の血液循環流速検出システムの作動方法の実施ステップを示すブロック図である。
【図２Ａ】本発明の血液循環流速検出システムの作動方法の呼吸制御器が時間に従って気体を提供する曲線図である。
【図２Ｂ】本発明の血液循環流速検出システムの作動方法の呼吸制御器が時間に従って気体を提供する曲線図である。
【図３】本発明の血液循環流速検出システムの作動方法によって、記録された複数の異なる時間点に対応する血酸素飽和度値のサンプルの曲線図である。
【図４Ａ】本発明の血液循環流速検出システムの機能を示すブロック図である。
【図４Ｂ】本発明の他の血液循環流速検出システムの機能を示すブロック図である。
【符号の説明】
【００３０】
１０〜１６  ステップ
２０        開始時間点
２１        第一時間点
２２        第二時間点
２３        終止時間点
３０、３１  変異点
Ａ、Ｂ、Ｃ、Ｄ  四組のそれぞれの実験データ曲線
ＰＡ、ＰＢ、ＰＣ、ＰＤ  四組のそれぞれの変異を持つ血酸素飽和度値点
４          血液循環流速検出システム
４１        主制御器
４２        血酸素飽和度分析器
４３        呼吸制御器
４４        資料出力装置
５          検出しようとする人
【図１】
2007144186.tif 000003
【図２Ａ】
2007144186.tif 000004
【図２Ｂ】
2007144186.tif 000005
【図３】
2007144186.tif 000006
【図４Ａ】
2007144186.tif 000007
【図４Ｂ】
2007144186.tif 000008